(57)【特許請求の範囲】
【請求項１】
プロンプターとテレビカメラとが支持部材に支持されて構成されるとともに、前記プロンプターにパン駆動部とチルト駆動部とが設けられ、
前記支持部材は、前記プロンプターを支持する第１支持部材と前記テレビカメラを支持する第２支持部材とから構成され、
前記第１支持部材は、プロンプター装置を支持する支持手段にパン軸を介して回動自在に連結されるとともに前記パン駆動部によってパン軸を中心にパン動作され、
前記第２支持部材は、前記第１支持部材にチルト軸を介して回動自在に連結されるとともに前記チルト駆動部によってチルト軸を中心にチルト動作されることを特徴とするプロンプター装置。
【発明の詳細な説明】
【０００１】
【発明の属する技術分野】
本発明は、プロンプターとテレビカメラとが支持部材に支持されて構成されたプロンプター装置に関する。
【０００２】
【従来の技術】
従来から、プロンプタ装置を雲台装置に載置し、プロンプタ装置とチルト機構等とを組み合わせる構成のものは知られていた（特開昭６２−２０００９４号）。
【０００３】
また例えば図５、図６に示す従来のプロンプター装置１は、透過型液晶表示板（以下、「液晶パネル」と称す）２、ハーフミラー３、及びテレビカメラ５を主な構成としており、液晶パネル２とハーフミラー３とは筐体４に内蔵され、テレビカメラ５はカメラ取付台６に支持されている。そして、筐体４とカメラ取付台６とが連結されて支持部材が構成されている。
【０００４】
このようなプロンプター装置１は、雲台装置７のチルト軸７Ａに、Ｌ字形の取付台８を介して固定され、また、雲台装置７はパン軸７Ｂを介して三脚９に取り付けられて使用される。
【０００５】
したがって、雲台装置７をリモコン操作して、雲台装置７に内蔵されたパン駆動部を駆動させると、パン軸７Ｂを中心にプロンプター装置１が回動（パンニング）され、また、雲台装置７に内蔵されたチルト駆動部を駆動させると、チルト軸７Ａを中心にプロンプター装置１が回動（チルチング）される。これにより、プロンプター装置１を所望の方向に向けることができる。
【０００６】
【発明が解決しようとする課題】
しかしながら、前記従来のプロンプター装置１は、プロンプター装置１とは別体の雲台装置７を設けなければ、プロンプター装置１をパンニング、チルチングさせることができず、よって、雲台装置７の分だけ大型化するという欠点があった。
【０００７】
また、前記従来のプロンプター装置１は、プロンプター装置１をパンニングさせる場合、プロンプター装置１の重量に雲台装置７の重量を加えた大重量がパン軸７Ｂにかかっているので、大きな動力が必要になり、また、プロンプター装置１をチルチングさせる場合でも、プロンプター装置１の全重量がチルト軸７Ａにかかっているので、これもまた大きな動力が必要になるという欠点があった。
【０００８】
本発明はこのような事情に鑑みてなされたもので、小型で且つ小さな動力でプロンプター装置をパンニング、チルチングさせることができるプロンプター装置を提供することを目的とする。
【０００９】
【課題を解決するための手段】
本発明は、前記目的を達成するために、プロンプターとテレビカメラとが支持部材に支持されて構成されるとともに、前記プロンプターにパン駆動部とチルト駆動部とが設けられ、前記支持部材は、前記プロンプターを支持する第１支持部材と前記テレビカメラを支持する第２支持部材とから構成され、前記第１支持部材は、プロンプター装置を支持する支持手段にパン軸を介して回動自在に連結されるとともに前記パン駆動部によってパン軸を中心にパン動作され、前記第２支持部材は、前記第１支持部材にチルト軸を介して回動自在に連結されるとともに前記チルト駆動部によってチルト軸を中心にチルト動作されることを特徴とする。
【００１０】
本発明によれば、プロンプター装置のプロンプターに、パン駆動部とチルト駆動部とを設けたので、別体の雲台装置が不要となり、小型化及び軽量化を図ることができる。
【００１１】
また、本発明は、支持部材の第１支持部材をパン軸を介して支持手段に回動自在に連結したので、パン軸にはプロンプター装置の重量しかかからない。また、支持部材の第２支持部材をチルト軸を介して第１支持部材に回動自在に連結したので、チルト軸にはテレビカメラの重量しかかからない。したがって、本発明は、従来装置と比較して小さな動力でプロンプター装置をパンニング、チルチングさせることができる。
【００１２】
【発明の実施の形態】
以下添付図面に従って本発明に係るプロンプター装置の好ましい実施の形態について詳説する。
【００１３】
図１は、本発明の実施の形態に係るプロンプター装置１０が三脚１２に取り付けられた状態を示す側面図である。プロンプター装置１０の支持台１１は、液晶パネル（表示部）１４及びハーフミラー１６（図２参照）からなるプロンプター１７と、ＥＮＧカメラ１８とを支持する支持部材であり、プロンプター１７が内蔵された筐体（第１支持部材）２０と、ＥＮＧカメラ１８（図１参照）が取り付けられたカメラ取付台（第２支持部材）２２とをチルト軸２４を介して回動自在に連結することにより構成されている。
【００１４】
ＥＮＧカメラ１８は、携帯性を考慮した肩乗せ可能なテレビカメラであり、下部に肩乗せ部２６が形成されたカメラ本体２８、ＥＮＧレンズ３０等から構成され、カメラ本体２８がカメラ取付台２２の所定の位置に取り付けられている。
【００１５】
筐体２０の側面には、映像入力端子３２が設けられている。この映像入力端子３２は、不図示のケーブルを介してカメラ本体２８の映像出力端子３４に接続されている。放送用原稿は、予めハーフミラー１６の前方に置かれ、ＥＮＧレンズ３０を介してカメラ本体２８で撮像される。そして、映像出力端子３４から放送用原稿の画像を示す映像信号が、筐体２０に内蔵された不図示の画像処理装置に出力されて画像メモリーされ、この画像メモリーされた放送用原稿の画像が液晶パネル１４に表示される。液晶パネル１４に表示された原稿画像は、ハーフミラー１６によって図１上左側方に反射される。
【００１６】
筐体２０には映像入力端子３２の他に、パワーソース用コネクタ、編集リモコン用コネクタ、パンチルトリモコン用コネクタ、及び電源スイッチ等が設けられている。液晶パネル１４は、前記電源スイッチをＯＮにすると、パワーソース用コネクタを介して供給される電源部からの電力によって起動される。そして、液晶パネル１４に原稿画像が表示され、そして、編集リモコン用コネクタを介して出力されるリモコン操作部からのリモコン信号によって遠隔操作される。遠隔操作の内容は、表示画像の切り換えを主としており、この遠隔操作は、原稿画像を読むニュースキャスターによって行われる。また、パンチルトリモコン用コネクタを介して出力されるリモコン操作部からのリモコン信号によってプロンプター装置１０がパンニング、チルチング駆動される。
【００１７】
ところで、筐体２０の下部には、パン軸３６が不図示の軸受を介して筐体２０に回転自在に設けられている。このパン軸３６の下部には、不図示のジョイント部（例えば六角穴）が形成され、このジョイント部を介して三脚（支持手段：ペデスタルでもよい）１２の頂部に突設されたジョイント部（例えば六角ピン）に筐体２０が着脱自在に連結される。これにより、筐体２０は、パン軸３６を中心にパンニングすることができる。
【００１８】
パン軸３６の同軸上には、ウォームホイール３８が設けられ、ウォームホイール３８はウォーム４０に螺合されている。このウォーム４０は、筐体２０の下部に固定されたモータ（パン駆動部）４２の出力軸４４に連結されている。したがって、モータ４２をリモコン操作してウォーム４０を正転／逆転させると、その回転力がウォームホイール３８からウォーム４０に伝達されるので、ウォーム４０がウォームホイール３８の回りを周回し、これにより、筐体２０を含むプロンプター装置１０全体がパン軸３６を中心にパンニング（図３上矢印Ａ、Ｂで示す方向に回動）する。なお、本実施の形態では、モータ４２の動力をウォーム装置でパン軸３６に伝達したが、モータ４２の動力をパン軸３６に伝達させる装置であれば、その形態は問わない。
【００１９】
図１に示すように、筐体２０の背面側には、チルト軸２４を支持する軸受部４６が形成される。この軸受部４６に、チルト軸２４を介してカメラ取付台２２のアーム部４８が回動自在に連結されている。
【００２０】
また、筐体２０の下部には、カメラ取付台２２を支持する基台５０が後方に向けて延設され、この基台５０に図３のモータ（チルト駆動部）５２が固定されている。モータ５２の出力軸５４にはギア５６が取り付けられており、このギア５６には、セクターギア５８が噛合されている。セクターギア５８は、カメラ取付台２２に固定されるとともに、その円弧状ギア面がチルト軸２４を中心とする円周に沿うように形成されている。したがって、モータ５２をリモコン操作してギア５６を正転／逆転させると、その回転力がセクターギア５８を介してカメラ取付台２２に伝達されるので、カメラ取付台２２がチルト軸２４を中心にパンニング（図４上矢印Ｃ、Ｄで示す方向に回動）する。
【００２１】
このように、本実施の形態のプロンプター装置１０では、プロンプター１７を支持する筐体２０に、パン駆動部であるモータ４２とチルト駆動部であるモータ５２とを設けたので、図５、図６に示すような別体の雲台装置７が不要となり、小型化及び軽量化を図ることができる。
【００２２】
また、プロンプター装置１０によれば、筐体２０をパン軸３６を介して三脚１２に回動自在に連結したので、パン軸３６にはプロンプター装置１０の重量しかかからない。また、カメラ取付台２２をチルト軸２４を介して筐体２０に回動自在に連結し、カメラ取付台２２のみチルチング動作させるようにしたので、チルト軸２４にはカメラ取付台２２を含むＥＮＧカメラ１８の重量しかかからない。したがって、本実施の形態のプロンプター装置１０によれば、図５、図６で示した従来装置と比較して小さな動力でプロンプター装置１０をパンニング、チルチングさせることができる。
【００２３】
ここで一例を上げて説明する。
【００２４】
支持台１１を含むプロンプター装置１０の全重量：３０ｋｇ
カメラ取付台２２を含むＥＮＧカメラ１８の重量：８ｋｇ
図５、図７に示した雲台装置７の重量          ：４０ｋｇ
とすると、従来装置のパン軸７Ｂには７０ｋｇ（３０ｋｇ＋４０ｋｇ）の重量がかかるが、本実施の形態のパン軸３６には３０ｋｇの重量しかかからない。また、従来装置のチルト軸７Ａには３０ｋｇの重量がかかるが、本実施の形態のチルト軸２４には８ｋｇの重量しかかからない。
【００２５】
なお、本実施の形態では、ＥＮＧカメラ１８のみチルチングさせる構造を採用したが、プロンプター装置１０全体をチルチングさせる構造を採用してもよい。
【００２６】
【発明の効果】
以上説明したように本発明に係るプロンプター装置によれば、プロンプターに、パン駆動部とチルト駆動部とを設けたので、別体の雲台装置が不要となり、小型化及び軽量化を図ることができる。
【００２７】
また、本発明は、支持部材の第１支持部材をパン軸を介して支持手段に回動自在に連結したので、パン軸にはプロンプター装置の重量しかかからず、また、支持部材の第２支持部材をチルト軸を介して第１支持部材に回動自在に連結したので、チルト軸にはテレビカメラの重量しかかからない。したがって、本発明は、従来装置と比較して小さな動力でプロンプター装置をパンニング、チルチングさせることができる。
【図面の簡単な説明】
【図１】実施の形態のプロンプター装置の側面図
【図２】図１に示したプロンプター装置の正面図
【図３】図１に示したプロンプター装置の平面図
【図４】図１に示したプロンプター装置でテレビカメラをチルチングさせた状態を示す側面図
【図５】雲台装置に支持された従来のプロンプター装置の側面図
【図６】図５に示したプロンプター装置の正面図
【符号の説明】
１０…プロンプター装置、１１…支持台、１２…三脚、１４…液晶パネル、１６…ハーフミラー、１８…ＥＮＧカメラ、２０…筐体（第１支持部材）、２２…カメラ取付台（第２支持部材）、２４…チルト軸、３６…パン軸、４２…モータ（パン駆動部）、５２…モータ（チルト駆動部）
【図１】
0004392543.tif 000002
【図２】
0004392543.tif 000003
【図３】
0004392543.tif 000004
【図４】
0004392543.tif 000005
【図５】
0004392543.tif 000006
【図６】
0004392543.tif 000007